(57)【要約】      （修正有）【課題】女びなの着衣の装飾性を高め、かつ配置スペースの拡大を抑制可能にするひな人形セットを提供する。【解決手段】ひな人形セットは、飾り台と、飾り台上で夫々一定の姿勢で載置可能に構成された男びな及び女びなと、を備え、女びなは、座った姿勢で構成され、かつ飾り台に沿って延在可能な裾を有する着衣を被着し、正面に対して男びな側に斜めに向いた姿勢で置かれる。【選択図】図２
0003214680.tif 000002
【実用新案登録請求の範囲】
【請求項１】
飾り台と、
前記飾り台上で夫々一定の姿勢で載置可能に構成された男びな及び女びなと、
を備え、
前記女びなは、座った姿勢で構成されかつ前記飾り台に沿って延在可能な裾を有する着衣を被着し、正面に対して前記男びな側に斜めに向いた姿勢で置かれることを特徴とするひな人形セット。
【請求項２】
前記裾は、前記飾り台上で前記女びなの姿勢に合わせて正面に対して斜めに後方へ延在することを特徴とする請求項１に記載のひな人形セット。
【請求項３】
前記女びなは、前記男びなより正面側に近く置かれることを特徴とする請求項１又は２に記載のひな人形セット。
【請求項４】
前記男びなは立った姿勢で前記飾り台上に載置可能に構成され、かつ正面に対して前記女びな側に斜めに向いた姿勢で置かれることを特徴とする請求項１乃至３の何れか一項に記載のひな人形セット。
【請求項５】
前記裾は積層された複数の衣で構成され、少なくとも一部で折り曲げられたうねりが形成されることを特徴とする請求項１乃至４の何れか一項に記載のひな人形セット。
【請求項６】
前記女びなが被着した前記着衣は最外側で被着される裳を含み、
前記裳を除く前記裾は、左右一方側のみで前記うねりが形成され、該うねりの形成によって前記女びなの向き以上に正面側へ傾斜するように配置されることを特徴とする請求項５に記載のひな人形セット。
【請求項７】
前記裳を除く前記裾は、平面視で正面側に近い領域が前記裳から正面側に露出していることを特徴とする請求項６に記載のひな人形セット。
【請求項８】
立った姿勢で載置可能に構成されて前記男びな及び前記女びなの後方に置かれ、正面から見て前記飾り台上の背景の図柄を形成するための屏風を備えることを特徴とする請求項１乃至７の何れか一項に記載のひな人形セット。
【請求項９】
前記飾り台は、
前記男びな及び前記女びなを載置するための床板を備える床面と、
前記床面より正面側に設けられる庭面と、
で構成されることを特徴とする請求項１乃至８の何れか一項に記載のひな人形セット。
【請求項１０】
前記床面は、前記男びなが置かれる第１領域と、前記女びなが置かれる第２領域と、を含み、
前記第２領域は前記第１領域より正面側へ突出し、
前記第１領域の外縁と前記第２領域の外縁とは、これら外縁の接続部を含む領域において曲線を形成していることを特徴とする請求項９に記載のひな人形セット。
【請求項１１】
前記庭面は玉砂利を敷き詰めた庭を模して構成されることを特徴とする請求項９又は１０に記載のひな人形セット。
【請求項１２】
正面視で前記庭面の両端部の一方に設けられる桜樹を模した飾りと、前記両端部の他方に設けられる橘樹を模した飾りと、を備えることを特徴とする請求項９乃至１１の何れか一項に記載のひな人形セット。
【請求項１３】
前記床面に立った姿勢で載置可能な灯り台を備えることを特徴とする請求項９乃至１２の何れか一項に記載のひな人形セット。
【考案の詳細な説明】
【技術分野】
【０００１】
本考案は、少ないスペースでひな人形の豪華さを高めることができるひな人形セットに関する。
【背景技術】
【０００２】
ひな人形セットのうち、１個の飾り台に男びな及び女びなが飾られる親王飾りは、男びな及び女びなが飾り台上に正面を向くように置かれ、かつ男（お）びな及び女（め）びなとも座っているのが一般的である。また、複数段の飾り台を有するひな人形セットでも、特許文献１〜３に開示されているように、少なくとも最上段の男びな及び女びなは正面向きに座って置かれている。
他方、最近の傾向として、ひな人形は十二単（じゅうにひとえ）など着衣の豪華さ、華やかさを競う傾向にある反面、配置スペースのコンパクト化が課題のひとつとなっている。
【先行技術文献】
【特許文献】
【０００３】
【特許文献１】実用新案登録第３０９４７００号公報
【特許文献２】実用新案登録第３０９５３８３号公報
【特許文献３】特開２００５−３２９０３６号公報（図２）
【考案の概要】
【考案が解決しようとする課題】
【０００４】
女びなの着衣の豪華さや華やかさを高めるために、女びなの着衣の裾を長くし、裾の色彩や柄を加えることで、着衣の豪華さや華やかさを高めることが考えられる。
しかし、従来のように、男びな及び女びなが正面を向いていると、裾は人形本体に隠れて正面から見ることはできない。また、裾を後方に長く伸ばすと、飾り台の奥行きを長くしてスペースを確保する必要がある。配置スペースをコンパクト化するために、男びな及び女びなの体を小さくすると、頭部が小さくなりすぎるという問題がある。ひな人形の顔の表情も重要な美的要素のひとつであり、頭部が小さくなりすぎると、顔の表情に特色を出すことが困難になるという問題がある。
【０００５】
本考案は、女びなの着衣の装飾性を高め、かつひな人形セットの配置スペースの拡大を抑制可能にすることを目的とする。
【課題を解決するための手段】
【０００６】
（１）一実施形態に係るひな人形セットは、
飾り台と、
前記飾り台上で夫々一定の姿勢で載置可能に構成された男びな及び女びなと、
を備え、
前記女びなは、座った姿勢で構成されかつ前記飾り台に沿って延在可能な裾を有する着衣を被着し、正面に対して前記男びな側に斜めに向いた姿勢で置かれる。
【０００７】
上記（１）の構成によれば、女びなは、座った姿勢で飾り台に沿って延在可能な裾を有する着衣を被着し、裾を飾り台上で広げることで、裾を含む着衣の豪華さ及び華やかさを増すことができる。
また、女びなは、飾り台上で正面に対して男びな側に斜めに向いた姿勢で置かれ、この姿勢によって、男びなに対する親愛の情を表わすことができると共に、着衣の裾を女びなの向きに合わせて正面に対し斜めに配置することが容易になる。その結果、裾を正面に対して直交する方向へ配置する場合に比べて、飾り台の奥行き方向の配置スペースを短縮できるので、配置スペースの拡大を抑制できる。さらに、裾を斜めに配置することで、正面から見て裾が女びな本体に隠れず、正面側から裾の色彩や柄を鑑賞できる。
【０００８】
（２）一実施形態では、前記（１）の構成において、
前記裾は、前記飾り台上で前記女びなの姿勢に合わせて正面に対して斜めに後方へ延在する。
上記（２）の構成によれば、女びなは正面に対し男びな側へ斜めに向いているので、女びなの着衣の裾は男びながいない飾り台上の広いスペースに斜めに広げることができる。そのため、該裾が女びな本体に隠れず、裾の図柄や色彩を正面から鑑賞できる。
【０００９】
（３）一実施形態では、前記（１）又は（２）の構成において、
前記女びなは、前記男びなより正面側に近く置かれる。
上記（３）の構成によれば、女びなが男びなより正面側に近く置かれるため、女びなの背後の飾り台のスペースを広く取ることができ、これによって、飾り台上で女びなの着衣の裾を配置するスペースを十分に確保できる。
【００１０】
（４）一実施形態では、前記（１）〜（３）の何れかの構成において、
前記男びなは立った姿勢で前記飾り台上に載置可能に構成され、かつ正面に対して前記女びな側に斜めに向いた姿勢で置かれる。
上記（４）の構成によれば、男びなが立った姿勢であるために、男びなの配置スペースを縮小でき、この分女びなの着衣の裾の配置スペースを余分に確保できる。また、男びなは正面に対して女びな側に斜めに向いた姿勢で置かれ、この姿勢によって女びなに対する男びなの親愛の情を表すことができる。
【００１１】
（５）一実施形態では、前記（１）〜（４）の何れかの構成において、
前記裾は積層された複数の衣で構成され、少なくとも一部で折り曲げられたうねりが形成される。
上記（５）の構成によれば、女びなの着衣の裾が少なくとも一部で折り曲げられたうねりを形成することで、該裾を形成している複数の衣の重なりが正面側から鑑賞できるようになり、これによって、着衣の豪華さを強調することができる。
【００１２】
（６）一実施形態では、前記（５）の構成において、
前記女びなが被着した前記着衣は最外側で被着される裳を含み、
前記裳を除く前記裾は、左右一方側のみで前記うねりが形成され、該うねりの形成によって前記女びなの向き以上に正面側へ傾斜するように配置される。
上記（６）の構成によれば、女びなの着衣の最外側に裳を含むことで、着衣の豪華さをさらに示すことができる。また、裳を除く裾が左右一方側のみでうねりが形成され、このうねりで女びなの向き以上に正面側へ傾斜するため、正面側へ裳の下から他の裾をはみ出させることができる。これによって、正面から裾の豪華さを鑑賞できる。
【００１３】
（７）一実施形態では、前記（６）の構成において、
前記裳を除く前記裾は、平面視で正面に近い側が前記裳から露出している。
上記（７）の構成によれば、女びなの着衣の裳を除く裾が、平面視で正面に近い側であってかつうねり形成部が裳から露出するので、複数の衣の重なり合ったうねり部分を正面から鑑賞でき、裾の豪華さをさらに強調できる。
【００１４】
（８）一実施形態では、前記（１）〜（７）の何れかの構成において、
立った姿勢で載置可能に構成されて前記男びな及び前記女びなの後方に置かれ、正面から見て前記飾り台上の背景の図柄を形成するための屏風を備える。
上記（８）の構成によれば、上記屏風を男びな及び女びなの後方に立てることで、この屏風によって男びな及び女びなの背景の図柄を形成できる。
【００１５】
（９）一実施形態では、前記（１）〜（８）の何れかの構成において、
前記飾り台は、
前記男びな及び前記女びなを載置するための床板を備える床面と、
前記床面より正面側に設けられる庭面と、
で構成される。
上記（９）の構成によれば、飾り台が上記床面と上記庭面とで構成されることで、ひな人形セットの装飾性を高めることができる。
【００１６】
（１０）一実施形態では、前記（９）の構成において、
前記床面は、前記男びなが置かれる第１領域と、前記女びなが置かれる第２領域と、を含み、
前記第２領域は前記第１領域より正面側へ突出し、
前記第１領域の外縁と前記第２領域の外縁とは、これら外縁の接続部を含む領域において曲線を形成している。
上記（１０）の構成によれば、女びなが置かれる第１領域が、男びなが置かれる第２領域に対して正面側へ突出することで、女びなの後ろ側領域を広げることができ、これによって、女びなの後ろ側に広がる裾の配置スペースを確保できる。また、第１領域の外縁と前記第２領域の外縁との接続部は曲線を形成しているので、庭面との境界を示す床面の外縁を優美に見せることができる。
【００１７】
（１１）一実施形態では、前記（９）又は（１０）の構成において、
前記庭面は玉砂利を敷き詰めた庭を模して構成される。
上記（１１）の構成によれば、庭面は玉砂利を敷き詰めた庭を模して構成されるため、庭面の装飾性を高めることができる。
【００１８】
（１２）一実施形態では、前記（９）〜（１１）の何れかの構成において、
正面視で前記庭面の両端部の一方に設けられる桜樹を模した飾りと、前記両端部の他方に設けられる橘樹を模した飾りと、を備える。
上記（１２）の構成によれば、正面視で庭面の両端部桜樹を模した飾りと橘樹を模した飾りとを配置することで、庭面の装飾性をさらに高めることができる。
【００１９】
（１３）一実施形態では、前記（９）〜（１２）の何れかの構成において、
前記床面に立った姿勢で載置可能な灯り台を備える。
上記（１３）の構成によれば、床面に灯り台を置くことで、床面の装飾性を高めることができる。
【考案の効果】
【００２０】
一実施形態によれば、女びなの着衣が床面上に置かれる裾を有することで装飾性を高めることができると共に、該裾を配置するスペースの拡大を抑制できる。従って、ひな人形セット全体の配置スペースの拡大を抑制できる。
【図面の簡単な説明】
【００２１】
【図１】一実施形態に係るひな人形セットの全体を示す斜視図である。
【図２】一実施形態に係るひな人形セットの全体を図１より拡大して示す斜視図である。
【図３】一実施形態に係る男びな及び女びなの平面図である。
【図４】一実施形態に係る女びなの平面図である。
【図５】一実施形態に係る女びなの側面図である。
【考案を実施するための形態】
【００２２】
以下、添付図面を参照して本考案の幾つかの実施形態について説明する。ただし、実施形態として記載され又は図面に示されている構成部品の寸法、材質、形状、その相対的配置等は、本考案の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２３】
図１〜図５は、一実施形態に係るひな人形セット１０を示す。
図１及び図２において、ひな人形セット１０は親王飾りとも称され、１個の飾り台１２上で一定の姿勢で載置可能な男びな１４及び女びな１６を備える。男びな１４及び女びな１６は、正面側（図中矢印ａ方向）から見えるように飾り台上に置かれる。女びな１６は座った姿勢で構成され、女びな１６の着衣１８は飾り台１２の上面に沿って延在可能な裾２０を有する。飾り台１２上で女びな１６は正面に対して男びな側に斜めに向いた姿勢で置かれる。
【００２４】
上記構成によれば、女びな１６は、座った姿勢で飾り台１２の上面に沿って延在可能な裾２０を有する着衣１８を被着し、裾２０を飾り台上で広げることで、着衣１８の豪華さ及び華やかさを増すことができる。
また、女びな１６は、飾り台上で正面に対して男びな側に斜めに向いた姿勢で置かれ、この姿勢によって、男びな１４に対する親愛の情を表わすことができると共に、着衣１８の裾２０を女びな１６の向きに合わせて正面に対し斜めに配置することが容易になる。その結果、裾２０を正面に対して直交する方向へ配置する場合に比べて、飾り台１２の奥行き方向の配置スペースを短縮できるので、配置スペースの拡大を抑制できる。さらに、裾２０を斜めに配置することで、正面から見て裾が女びな本体に隠れず、正面側から裾２０の色彩や柄を鑑賞できる。
【００２５】
一実施形態では、女びな１６の着衣１８は複数の衣が重ね着されて構成され、例えば、十二単で構成される。十二単の場合、図２に示すように、最も内側に被着される単（ひとえ）２４と、単２４の外側に被着される５枚重ねの五衣（いつつぎぬ）２６と、五衣２６の外側に被着される表着（うわぎ）２８と、表着２８の外側に被着される裾のない唐衣（からぎぬ）３０と、唐衣３０の外側に被着される裳（も）３２と、を含む。裾２０は、唐衣３０を除き、これらの衣が積層されて構成され、女びな本体の後方に長く広がっている。
図２に図示した実施形態では、裳３２の上にさらに帯３４が後方に長く伸びている。
【００２６】
図２に示すように、これらの重ね着は、袖及び裾２０において、内側の衣の端がすべて外から見えるように衣の各々が順々にずらして配置されており、これによって、着衣１８の豪華さを表すことができる。
【００２７】
一実施形態では、女びな１６の頭部を体の向きの方向よりさらに男びな側へ向かせ、女びな１６が男びな１４を直視することで、男びな１４に対するさらなる親愛の情を表すことができる。
【００２８】
一実施形態では、図１及び図２に示すように、屏風２２が立った姿勢で載置可能に構成されて男びな１４及び女びな１６の後方に置かれる。屏風２２は、ひな人形セット１０を正面から見たとき飾り台１２上の背景の図柄を形成する。男びな１４及び女びな１６の後方に屏風２２を置くことで、飾り台上の拡張高い空間を形成できる。また、屏風２２の図柄及び色彩によって男びな１４及び女びな１６を際立たせることができる。
一実施形態では、屏風２２は男びな１４及び女びな１６の後方で飾り台上に置かれる。
【００２９】
一実施形態では、図３に示すように、裾２０は、飾り台上で女びな１６の姿勢に合わせて正面に対して斜めに後方へ延在させる。
これによって、女びな１６は正面に対し男びな側へ斜めに向いているので、裾２０は男びな１４がいない飾り台上の広いスペースに斜めに広げることができる。そのため、裾２０が女びな本体に隠れず、裾２０の図柄や色彩を正面から観賞できるようになる。
【００３０】
一実施形態では、図１及び図２に示すように、女びな１６は男びな１４正面側に近く置かれる。
この実施形態によれば、女びな１６が男びな１４より正面側に近く置かれるため、女びな１６の背後のスペースを広く確保でき、これによって、飾り台上で裾２０を広げるスペースを十分に確保できる。
【００３１】
一実施形態では、図３に示すように、男びな１４は立った姿勢で飾り台上に載置可能に構成され、男びな１４は飾り台１２上で女びな側に斜めに向いた姿勢で置かれる。
このように、男びな１４が立った姿勢であるために、男びな１４の配置スペースを縮小でき、この分女びな１６の裾２０の配置スペースを余分に確保できる。また、男びな１４は正面側（矢印ａ方向）に対して女びな側に斜めに向いた姿勢で置かれるので、この姿勢によって女びな１６に対する男びな１４の親愛の情を表すことができる。
【００３２】
一実施形態では、図４及び図５に示すように、上述のように、裾２０は積層された複数の衣で構成され、少なくとも一部で折り曲げられたうねり３６ａ及び３６ｂが形成される。
このように、裾２０が少なくとも一部で折り曲げられたうねり３６ａ及び３６ｂを形成することで、裾２０を形成している複数の衣の重なりが正面側から鑑賞できる。これによって、着衣１８の豪華さを強調することができる。
【００３３】
一実施形態では、図４及び図５に示すように、女びな１６が被着した着衣１８は最外側で被着される裳３２を含んでいる。裳３２除く裾２０は、左右一方側のみでうねり３６ａ及び３６ｂが形成され、該うねりの形成によって女びな１６の向きより正面側へ傾斜するように配置される。
このように、女びな１６の着衣１８の最外側に裳３２を含むことで、着衣１８の豪華さをさらに示すことができる。また、裳３２を除く裾２０が左右一方側のみで該うねりが形成され、女びな１６の向きより正面（矢印ａ方向）に対して鋭角に傾斜するように配置されるため、裳３２の下から裳３２を除く裾２０をはみ出させ、正面から見えるようにすることができる。これによって、正面から裾２０の豪華さを鑑賞できる。
【００３４】
図４は、着衣１８のうち裳３２を上方へ捲り上げた状態を示している。
図４に図示した実施形態では、正面に近い側にうねり３６ａ及び３６ｂが形成されることで、裾２０は正面側へ傾斜する。これによって、正面側の裾２０が裳３２から露出し、正面から鑑賞できるようになる。
【００３５】
一実施形態では、唐衣３０の丈は短く、裾２０まで延在していない。
【００３６】
一実施形態では、図３に示すように、裳３２を除く裾２０は、平面視で正面に近い側が裳３２から露出している。
これによって、裳３２を除く裾２０が、平面視で正面に近い側であって、かつうねり３６ａ及び３６ｂが形成された部位が裳３２から正面側へ露出するので、複数の衣の重なり合ったうねり部分を正面から鑑賞でき、裾２０の豪華さをさらに強調できる。
【００３７】
一実施形態では、図１及び図２に示すように、飾り台１２は、男びな１４、女びな１６及び屏風２２が置かれ床板を備える床面３８と、この床面３８より正面側に設けられる庭面４０と、で構成される。
この実施形態によれば、飾り台１２が床面３８と庭面４０とで構成されるため、ひな人形セット１０の装飾性を高めることができる。
【００３８】
一実施形態では、図２に示すように、床面３８は、男びな１４が置かれる第１領域３８ａと、女びな１６が置かれる第２領域３８ｂとを有し、第２領域３８ｂは第１領域３８ａより正面側へ突出している。第１領域３８ａの外縁と第２領域３８ｂの外縁とは、これら外縁の接続部を含む領域で曲線ｃを形成している。
この実施形態によれば、第２領域３８ｂが第１領域３８ａより正面側へ突出することで、女びな１６の後ろ側領域を広げることができる。従って、女びな１６の後ろ側に広がる裾２０の配置スペースを確保できる。また、第１領域３８ａの外縁と第２領域３８ｂの外縁との接続部は曲線ｃを形成しているため、庭面４０との境界を示す床面３８の外縁を優美に見せることができる。
【００３９】
一実施形態では、図１及び図２に示すように、庭面４０は玉砂利を敷き詰めた庭を模して構成される。
このように、庭面４０は玉砂利を敷き詰めた庭を模して構成されるため、庭面４０の装飾性を高めることができる。
【００４０】
一実施形態では、図１及び図２に示すように、正面視で庭面４０の両端部の一方に設けられる桜樹を模した飾り４２と、両端部の他方に設けられる橘樹を模した飾り４４と、を備える。
この実施形態によれば、正面視で庭面４０の両端部に桜樹を模した飾り４２と橘樹を模した飾り４４とを配置することで、庭面４０の装飾性を高めることができる。
【００４１】
一実施形態では、図１及び図２に示すように、床面３８に立った姿勢で載置可能な灯り台４６を備える。
この実施形態によれば、床面３８に灯り台４６を置くことで、床面３８の装飾性を高めることができる。
【００４２】
一実施形態では、図１及び図２に示すように、飾り台１２上に灯り台４６として短けいを載置する。これによって、平安時代の伝統的な風情を出すことができる。
一実施形態では、図１及び図２に示すように、灯り台４６をひな人形と屏風２２との間に配置する。
【００４３】
図１〜図５に示す実施形態は、飾り台が１段のみの親王飾りに本考案を適用したものであるが、本考案は、親王飾り以外に、三人官女や五人囃子を含めて飾る複数段の飾り台を有するひな人形セットにも適用できる。
【産業上の利用可能性】
【００４４】
一実施形態によれば、女びなの着衣の装飾性を高めることで、ひな人形セットの付加価値を向上できると共に、ひな人形セットの配置スペースの拡大を抑制でき、狭いスペースでの配置が可能になる。
【符号の説明】
【００４５】
１０    ひな人形セット
１２    飾り台
１４    男（お）びな
１６    女（め）びな
１８    着衣
２０    裾
２２    屏風
２４    単（ひとえ）
２６    五衣（いつつぎぬ）
２８    上着（うわぎ）
３０    唐衣（からぎぬ）
３２    裳（も）
３４    帯
３６ａ、３６ｂ    うねり
３８    床面
３８ａ    第１領域
２８ｂ    第２領域
４０    庭面
４２    桜樹を模した飾り
４４    橘樹を模した飾り
４６    灯り台
【図１】
0003214680.tif 000003
【図２】
0003214680.tif 000004
【図３】
0003214680.tif 000005
【図４】
0003214680.tif 000006
【図５】
0003214680.tif 000007